(57)【要約】【課題】電源を切った被呼者への再ダイヤルを提供する無線ネットワーク（１００）を提供すること。【解決手段】無線ネットワーク（１００）は、発信ＭＳＣシステム（１１０）と、被呼者（１０４）のホーム・ロケーション・レジスタ（ＨＬＲ）システム（１１２）と、被呼者を収容するサービングＭＳＣシステム（１１４）とを含む。被呼者が電源を切っている識別に応答して、発呼者（１０２）は発信ＭＳＣシステムに再ダイヤル命令を送信する。発信ＭＳＣシステムは被呼者のＨＬＲシステムに再ダイヤル標識を送信する。被呼者のＨＬＲシステムは被呼者がいつ電源を入れたかを識別する。被呼者が電源を入れると、ＨＬＲシステムは被呼者と発呼者との間に呼のセットアップを試みる命令をサービングＭＳＣシステムに送信する。【選択図】図１
2006287930.tif 000002
【特許請求の範囲】
【請求項１】
再ダイヤルを提供する無線ネットワーク（１００）であって、
発信移動体交換センタ（ＭＳＣ）システム（１１０）と、
被呼者（１０４）のホーム・ロケーション・レジスタ（ＨＬＲ）システム（１１２）と、
前記被呼者を収容するサービング移動体交換センタ（ＭＳＣ）システム（１１４）とを含み、
前記発信ＭＳＣシステムが発呼者（１０２）から電源を切った前記被呼者への第１の呼を受信し、前記被呼者の前記ＨＬＲシステムに照会メッセージを送信し、
前記被呼者の前記ＨＬＲシステムは前記被呼者が前記照会メッセージに応答して電源を切っていると判定し、前記被呼者が電源を切っていることを示す応答メッセージを前記発信ＭＳＣシステムに送信し、
前記発信ＭＳＣシステムは前記被呼者が電源を切っていることを前記発呼者に伝え、前記発呼者から再ダイヤル命令を受信し、前記被呼者の前記ＨＬＲシステムに再ダイヤル標識を送信し、
前記被呼者の前記ＨＬＲシステムは前記再ダイヤル標識を受信し、前記被呼者がいつ電源を入れたかを識別し、前記被呼者が電源を入れたことの識別に応答して、前記被呼者と前記発呼者との間に第２の呼のセットアップを試みる命令を前記サービングＭＳＣシステムに送信する無線ネットワーク（１００）。
【請求項２】
前記サービングＭＳＣシステム（１１４）が前記被呼者（１０４）の前記ＨＬＲシステム（１１２）から前記命令を受信し、前記命令に応答して、前記被呼者と前記発呼者（１０２）との間の第２の呼のセットアップを試みる請求項１に記載の無線ネットワーク（１００）。
【請求項３】
前記発呼者（１０２、３０２）のホーム・ロケーション・レジスタ（ＨＬＲ）システム（３１２）をさらに含み、
前記第１の呼に応答して前記発信ＭＳＣシステム（１１０）が前記発呼者（１０２、３０２）の前記ＨＬＲシステム（３１２）内に前記発呼者（１０２、３０２）が最後にダイヤルした番号を記憶し、前記再ダイヤル標識の受信に応答して前記発呼者の前記ＨＬＲシステムから前記発呼者が最後にダイヤルした番号を取り出し、前記発呼者の前記最後にダイヤルした番号に基づいて前記再ダイヤル標識および前記発呼者の移動局識別子（ＭＳＩＤ）を前記被呼者（１０４、３０４）の前記ＨＬＲシステム（１１２、３２２）に送信する請求項１に記載の無線ネットワーク（１００）。
【請求項４】
前記発信ＭＳＣシステム（１１０）が前記発呼者（１０２）から前記再ダイヤル命令および前記被呼者（１０４）のダイヤル番号を受信し、前記ダイヤル番号に基づいて前記再ダイヤル標識および前記発呼者の移動局識別子（ＭＳＩＤ）を前記被呼者の前記ＨＬＲシステム（１１２）に送信する請求項１に記載の無線ネットワーク（１１０）。
【請求項５】
前記発信ＭＳＣシステム（１１０）が前記被呼者（１０４）が電源を切っているという録音メッセージを前記発呼者（１０２）に対して再生し、前記録音メッセージに応答して前記再ダイヤル命令を受信し、前記再ダイヤル標識および前記発呼者（１０２）の移動局識別子（ＭＳＩＤ）を前記被呼者の前記ＨＬＲシステム（１１２）に送信する請求項１に記載の無線ネットワーク（１１０）。
【請求項６】
再ダイヤルを提供する無線ネットワークを運用する方法であって、前記無線ネットワークが発信移動体交換センタ（ＭＳＣ）システムと、被呼者のホーム・ロケーション・レジスタ（ＨＬＲ）システムと、前記被呼者を収容するサービング移動体交換センタ（ＭＳＣ）システムとを含み、前記方法が、
前記発信ＭＳＣシステム内で、発呼者から電源を切っている前記被呼者への第１の呼の呼セットアップ・メッセージを受信する工程と、
前記発信ＭＳＣシステムから前記被呼者の前記ＨＬＲシステムに照会メッセージを送信する工程と、
前記照会メッセージに応答して前記被呼者の前記ＨＬＲシステム内で前記被呼者が電源を切っていると判定する工程と、
前記被呼者の前記ＨＬＲシステムから前記発信ＭＳＣシステムに前記被呼者が電源を切っていることを示す応答メッセージを送信する工程と、
前記発呼者に前記被呼者が電源を切っていることを伝える工程と、
前記発信ＭＳＣシステム内で前記発呼者から再ダイヤル命令を受信する工程と、
前記発信ＭＳＣシステムから前記被呼者の前記ＨＬＲシステムに再ダイヤル標識を送信する工程と、
前記被呼者の前記ＨＬＲシステム内で前記被呼者がいつ電源を入れたかを識別する工程と、
前記被呼者が電源を入れたことの識別に応答して、前記ＨＬＲシステムから前記サービングＭＳＣシステムに前記被呼者と前記発呼者との間に第２の呼のセットアップを試みる命令を送信する工程を特徴とする方法。
【請求項７】
前記サービングＭＳＣシステム内で前記被呼者の前記ＨＬＲシステムから前記命令を受信する工程と、
前記命令に応答して前記サービングＭＳＣシステム内で前記被呼者と前記発呼者との間の第２の呼のセットアップを試みる工程とをさらに含む請求項６に記載の方法。
【請求項８】
前記無線ネットワークが前記発呼者のホーム・ロケーション・レジスタ（ＨＬＲ）システムをさらに含み、前記方法が、
前記発信ＭＳＣシステム内で、
前記第１の呼に応答して前記発呼者が最後にダイヤルした番号を前記発呼者の前記ＨＬＲシステムに記憶する工程と、
前記再ダイヤル標識の受信に応答して前記発呼者の前記ＨＬＲシステムから前記発呼者が最後にダイヤルした番号を取り出す工程と、
前記発呼者が前記最後にダイヤルした番号に基づいて前記再ダイヤル標識および前記発呼者の移動局識別子（ＭＳＩＤ）を前記被呼者の前記ＨＬＲシステムに送信する工程とをさらに含む請求項６に記載の方法。
【請求項９】
前記発信ＭＳＣシステム内で前記発呼者から前記再ダイヤル命令および前記発呼者がダイヤルした番号を受信する工程と、
前記ダイヤル番号に基づいて前記再ダイヤル標識および前記発呼者の移動局識別子（ＭＳＩＤ）を前記被呼者の前記ＨＬＲシステムに送信する工程とをさらに含む請求項６に記載の方法。
【請求項１０】
前記被呼者が電源を切っているという録音メッセージを前記発信ＭＳＣシステムから前記発呼者に対して再生する工程と、
前記発信ＭＳＣシステム内で前記録音メッセージに応答して前記発呼者から前記再ダイヤル命令を受信する工程と、
前記再ダイヤル標識および前記発呼者の移動局識別子（ＭＳＩＤ）を前記被呼者の前記ＨＬＲシステムに送信する工程とをさらに含む請求項６に記載の方法。
【発明の詳細な説明】
【技術分野】
【０００１】
本発明は、通信ネットワークの分野に関し、特に、無線ネットワーク内での電源を切っている被呼者への再ダイヤルの機能を実施するネットワークおよび方法に関する。
【背景技術】
【０００２】
電話サービス・プロバイダはサービス加入者に多くの機能を提供する。従来の有線加入者に提供される１つの機能は、話し中の番号の再ダイヤルである。発呼者が被呼者番号に発呼する場合を考える。電話網内で、発信交換機は呼を受信し、呼を被呼者番号の着信交換機にルーティングする。着信交換機はその被呼者番号の回線が話中であると判断し、被呼者番号が話中であると発信交換機に応答する。発信交換機は発呼者に対して話中音を再生する。発呼者が話中音を聞くと、発呼者は電話を切る。次いで発呼者は電話機の送受器を上げて＊６６などのコードを電話機に入力し、最後にダイヤルした番号の再ダイヤル機能を起動する。次いで発呼者は電話を切って他の用事にとりかかることができる。電話網は被呼者番号が空くと被呼者番号への呼のセットアップを試みる。
【０００３】
電話網内で、発信交換機は発呼者が入力したコードを受信する。発信交換機は被呼者番号への再ダイヤルが起動されたことを着信交換機に通知する。被呼者番号の回線が空くと、着信交換機は被呼者番号への再ダイヤルが起動されたことを確認する。次いで着信交換機は発呼者から被呼者番号への呼をセットアップしようとする。発呼者には被呼者番号が空いたことを示す特殊なトーンを聞かせてもよい。
【発明の開示】
【発明が解決しようとする課題】
【０００４】
現在の再ダイヤル機能の１つの問題は、この機能が有線電話網についてのみ有効に実施され提供されるという点である。再ダイヤル機能は現在、セルラ・ネットワークまたはその他の無線ネットワークには提供されていない。また、再ダイヤルは話中の番号に対してしか提供されない。さらに、無線ネットワークは携帯電話の電源が切られていることがあるという問題を抱えている。携帯電話の電源が切られていると、その携帯電話への呼は応答されず、音声メールにルーティングされることが多い。問題は、電源が切られた携帯電話への再ダイヤル機能が現在提供されていないことである。移動加入者の数は膨大であるのに対して、無線サービス・プロバイダは再ダイヤル機能を提供しないことで莫大な収入を取り逃がしている。
【０００５】
本発明は、無線ネットワーク内の電源を切っている移動被呼者への再ダイヤルを提供することで、上記およびその他の問題を解決する。サービス・プロバイダは有利には、ますます増加する移動加入者に再ダイヤル機能を提供することができる。再ダイヤルは、移動被呼者のホーム・ロケーション・レジスタ（ＨＬＲ）システムにいつ移動被呼者が電源を切ったかを識別させることで有効に実行できる。ＨＬＲシステムは有利には、いつ被呼者が電源を入れたかをほぼリアルタイムで判定できる。次いでＨＬＲシステムは被呼者を収容する移動体交換センタ（ＭＳＣ）システムに被呼者への呼のセットアップを試みるように命令できる。したがって、被呼者は、電源を入れた直後に再ダイヤルされる。発呼者は有利には、被呼者に再度ダイヤルして被呼者に接続しようとしなくてよい。
【課題を解決するための手段】
【０００６】
本発明の一実施形態は、電源を切っている移動被呼者への再ダイヤルを提供する無線ネットワークを含む。無線ネットワークは、発信ＭＳＣシステム、被呼者のＨＬＲシステム、および被呼者を収容するサービングＭＳＣシステムを含む。動作時には、発呼者は発信ＭＳＣシステムを通して被呼者への呼を開始する。発信ＭＳＣシステムは呼を受信し、被呼者のＨＬＲシステムに照会メッセージを送信する。被呼者がこの時点で電源を切っていると、被呼者のＨＬＲシステムは被呼者が電源を切っていることを判断する。次いで被呼者のＨＬＲシステムは、被呼者が電源を切っていることを示す応答メッセージを発信ＭＳＣシステムに送信する。発信ＭＳＣシステムは、録音メッセージまたは不応答信号で被呼者が電源を切っていることを発呼者に示すことができる。
【０００７】
次いで、発呼者は再ダイヤル命令を入力することで再ダイヤル機能を起動する。発信ＭＳＣシステムは再ダイヤル命令を受信し、被呼者のＨＬＲシステムに再ダイヤルの標識を送信する。この時点で、再ダイヤルが起動される。
【０００８】
再ダイヤルが起動されると、ＨＬＲシステムは被呼者を監視して被呼者がいつ電源を入れたかを判定する。被呼者が電源を投入し、サービングＭＳＣシステムに登録すると仮定する。サービングＭＳＣシステムは被呼者のＨＬＲシステムに登録メッセージを送信する。被呼者のＨＬＲシステムは、被呼者がいつ電源を入れたかを確認する。ＨＬＲシステムは被呼者が電源を入れたことの確認に応答して、被呼者と発呼者との間に呼のセットアップを試みる命令をサービングＭＳＣシステムに送信する。
本発明は以下に記載するその他の例示的実施形態を含むことができる。
同じ参照番号は、すべての図面で同じ要素を表す。
【発明を実施するための最良の形態】
【０００９】
図１〜７および以下の説明は、当業者に本発明の最良の形態を作成して利用する方法を教示する本発明の特定の例示的実施形態を示す。本発明の原理を教示するために、本発明のいくつかの従来の態様は簡単化されるか省略されている。本発明の範囲内にあるこれらの実施形態の変形形態は当業者には明らかであろう。以下に説明する特徴を様々な方法で組み合わせて本発明の複数の変形形態を形成できることは、当業者には明らかであろう。その結果、本発明は以下の特定の実施形態に限定されず、特許請求の範囲とその等効形態によってのみ限定される。
【００１０】
図１は本発明の例示的実施形態の無線ネットワーク１００を示す。無線ネットワーク１００は、発信移動体交換センタ（ＭＳＣ）システム１１０と、ホーム・ロケーション・レジスタ（ＨＬＲ）システム１１２と、サービング移動体交換センタ（ＭＳＣ）システム１１４とを含む。発信ＭＳＣシステム１１０は、移動体交換センタと同様の機能を実行し、無線ネットワーク１００内で発呼する任意のシステムを含む。ＨＬＲシステム１１２は、被呼者１０４のホーム・ロケーション・レジスタと同様の機能を実行する任意のシステムを含む。発呼者１０２の別のＨＬＲシステム（図示せず）があってもよく、発呼者１０２はＨＬＲシステム１１２を共用してもよい。サービングＭＳＣシステム１１４は、被呼者１０４が電源を入れているときに移動体交換センタと同様の機能を実行して被呼者１０４に対応する任意のシステムを含む。無線ネットワーク１００は、説明を簡潔にするために図示していないその他のネットワーク、システムまたはデバイスを含むことができる。
【００１１】
前述したように、発信ＭＳＣシステム１１０は無線ネットワーク１００へ発呼する。発呼者１０２が移動発呼者の場合、発信ＭＳＣシステム１１０は移動発呼者を収容するＭＳＣシステムを含む。発信ＭＳＣシステム１１０およびサービングＭＳＣシステム１１４は、移動発呼者１０２と移動被呼者１０４とが同じサービス・エリアにある場合、同じＭＳＣシステムを含むことができる。発呼者１０２が有線発呼者の場合、発信ＭＳＣシステム１１０は電話局または有線ネットワークと無線ネットワーク１００との間の何か他のゲートウェイを通して発呼者１０２からの呼を受信する。
【００１２】
この実施形態では被呼者１０４は移動体である。「被呼者」という用語は、通信デバイスとその通信デバイスのユーザの両方を指すことができる。移動体である被呼者１０４は、可般またはその他の方法で移動可能であり無線信号を介してメッセージを送受信する携帯電話、ＰＤＡ、ラップトップ・コンピュータなどの移動体通信デバイスを含む。
【００１３】
動作時には、発呼者１０２は被呼者１０４に発呼する。発信ＭＳＣシステム１１０は呼を受信し、被呼者１０４のＨＬＲシステム１１２に照会メッセージを送信する。このとき被呼者１０４が電源を切っていると、ＨＬＲシステム１１２は被呼者１０４が電源を切っていることを判断する。ＨＬＲシステム１１２は発信ＭＳＣシステム１１０に被呼者１０４が電源を切っていることを示す応答メッセージを送信する。次いで発信ＭＳＣシステム１１０は、発呼者１０２に被呼者１０４が電源を切っていることを伝えることができる。例えば、発信ＭＳＣシステム１１０は、被呼者１０４が電源を切っていることを示す録音メッセージを発呼者１０２に送信することができる。また発信ＭＳＣシステム１１０は被呼者１０４のための音声メール・サーバに呼をルーティングでき、被呼者１０４のための音声メール・サーバは被呼者１０４が電話に出られない（すなわち電源を切っている）ことを発呼者１０２に伝える。発信ＭＳＣシステム１１０が、被呼者１０４が電源を切っていることを発呼者１０２に伝えると、発呼者１０２は再ダイヤル機能を起動できる。
【００１４】
図２は、本発明の例示的実施形態の無線ネットワーク１００内の再ダイヤルを示すメッセージ図である。再ダイヤル機能を起動するために、発呼者１０２は発信ＭＳＣシステム１１０に再ダイヤル命令を送信する。再ダイヤル命令は、発呼者が再ダイヤル機能を起動したいということを示す任意のコード、データ、またはその他の命令を含む。発信ＭＳＣシステム１１０は発呼者１０２から再ダイヤル命令を受信する。再ダイヤル命令の受信に応答して、発信ＭＳＣシステム１１０は被呼者１０４のＨＬＲシステム１１２に再ダイヤル標識（ＲＤＩ）を送信する。再ダイヤル標識は、発呼者１０２によって再ダイヤル機能が起動されたことを示す任意のデータ、コード、フラグ、またはその他の情報を含む。また、発信ＭＳＣシステム１１０は、再ダイヤル標識と共に発呼者１０２の移動局識別子（ＭＳＩＤ）をＨＬＲシステム１１２に送信できる。ＨＬＲシステム１１２は再ダイヤル標識（および場合によっては発呼者１０２のＭＳＩＤ）を受信する。ＨＬＲシステム１１２は、再ダイヤル標識（および場合によっては発呼者１０２のＭＳＩＤ）を被呼者１０４の加入者レコード内に記憶できる。この時点で、再ダイヤルが起動される。
【００１５】
再ダイヤルが起動されると、ＨＬＲシステム１１２は被呼者１０４を監視して被呼者１０４がいつ電源を入れたかを判定する。被呼者１０４が電源を投入し、サービングＭＳＣシステム１１４に登録すると仮定する。サービングＭＳＣシステム１１４は被呼者１０４のＨＬＲシステム１１２に登録メッセージを送信する。ＨＬＲシステム１１２は被呼者がいつ電源を入れたかを確認する。またＨＬＲシステム１１２は発呼者１０２が被呼者１０４を呼び出すための再ダイヤル機能を起動したことを確認する。次いで、ＨＬＲシステム１１２は被呼者１０４が電源を入れたことの確認に応答して、被呼者１０４と発呼者１０２との間に呼のセットアップを試みる命令をサービングＭＳＣシステム１１４に送信する。命令は再ダイヤル標識と場合によっては発呼者１０２のＭＳＩＤとを含むことができる。命令に応答して、サービングＭＳＣシステム１１４は被呼者１０４と発呼者１０２との間の呼のセットアップを試みる。
【００１６】
無線ネットワーク１００は、有利には移動体デバイスへの再ダイヤルを実施する効果的な方法を提供する。被呼者１０４のＨＬＲシステム１１２は被呼者１０４がいつ電源を入れたかを監視する位置にいるので、ＨＬＲシステム１１２は、被呼者１０４が電源を入れたら直ちに被呼者１０４に再ダイヤルするようにサービングＭＳＣシステム１１４に効果的に命令できる。無線ネットワーク１００が再ダイヤルを実行するので、発呼者１０２は、有利には被呼者１０４に繰り返しダイヤルして被呼者１０４に接続しようとする必要はない。
【００１７】
図３は、本発明の例示的実施形態の別の無線ネットワーク３００を示す。図３では、発呼者３０２は被呼者３０４に発呼している最中である。発呼者３０２は移動発呼者を含み、被呼者３０４は移動被呼者を含む。無線ネットワーク３００は発信ＭＳＣ（Ｏ−ＭＳＣ）３１１と、発呼者３０２のＨＬＲ３１２と、被呼者３０４のＨＬＲ３２２と、サービングＭＳＣ（Ｓ−ＭＳＣ）３２１とを含む。Ｏ−ＭＳＣ３１１は、その呼の発信ネットワーク３１０の一部である。Ｓ−ＭＳＣ３２１はその呼の着信ネットワーク３２０の一部である。Ｏ−ＭＳＣ３１１、ＨＬＲ３１２、ＨＬＲ３２２、およびＳ−ＭＳＣ３２１は伝送ネットワーク３３１に接続されている。伝送ネットワーク３３１は回線ベースのネットワークか、パケットベースのネットワークか、両者の組合せを含むことができる。無線ネットワーク３００は、図３に示していないその他の構成要素、デバイス、またはシステムを含むことができる。
【００１８】
再ダイヤルの起動
無線ネットワーク３００は、被呼者３０４のデバイスなどの移動体通信デバイスの再ダイヤルを提供する。図４〜６は無線ネットワーク３００内で再ダイヤル機能を起動する３つのプロセスを示す。再ダイヤル機能はその他の所望のプロセスに従って起動できるので、本発明は図４〜６の実施形態に限定されない。
【００１９】
図４は、本発明の例示的実施形態での再ダイヤル機能を起動する方法を示すメッセージ図である。この実施形態では、発呼者３０２は再ダイヤル機能の加入者である。無線ネットワーク３００を利用するサービス・プロバイダは、発呼者３０２が以前に加入していた再ダイヤル機能（大抵は月額料金）を提供する。
【００２０】
図４で、発呼者３０２は呼セットアップ・メッセージで被呼者３０４への呼を開始する。Ｏ−ＭＳＣ３１１は呼セットアップ・メッセージを受信する。呼セットアップ・メッセージは被呼者３０４のダイヤル番号を含む。発呼者３０２は再ダイヤル機能の加入者であるため、Ｏ−ＭＳＣ３１１は被呼者３０４の番号を含む発呼者３０２のＨＬＲ３１２にＦｅａｔｕｒｅＲｅｑｕｅｓｔ起動メッセージ（ＦＥＡＴＲＥＱ  ＩＮＶ）を自動的に送信する。Ｏ−ＭＳＣ３１１は発呼者３０２がダイヤルした番号ごとにこの処理を実行する。ＨＬＲ３１２は発呼者３０２の最後にダイヤルした番号（被呼者３０４の番号）を記憶し、ＦｅａｔｕｒｅＲｅｑｕｅｓｔリターン・リザルト・メッセージ（ＦＥＡＴＲＥＱ  ＲＲ）をＯ−ＭＳＣ３１１に送信する。
【００２１】
Ｏ−ＭＳＣ３１１は、被呼者３０４のＨＬＲ３２２にＬｏｃａｔｉｏｎＲｅｑｕｅｓｔ起動メッセージ（ＬＯＣＲＥＱ  ＩＮＶ）を送信する。ＬｏｃａｔｉｏｎＲｅｑｕｅｓｔ起動メッセージは呼のルーティング先を決定するためのものである。ＬｏｃａｔｉｏｎＲｅｑｕｅｓｔ起動メッセージは、呼セットアップ時間が発呼者３０２が最後にダイヤルした番号を記憶することで影響されないようにＦｅａｔｕｒｅＲｅｑｕｅｓｔ起動メッセージと並列に送信できる。ＬｏｃａｔｉｏｎＲｅｑｕｅｓｔ起動メッセージに応答して、ＨＬＲ３２２は被呼者３０４が電源を切っていると判定する。ＨＬＲ３２２は、被呼者３０４の加入者レコード内のＭｏｂｉｌｅ  Ｓｔａｔｕｓフィールドに基づいて被呼者３０４が電源を切っていると判定する。Ｍｏｂｉｌｅ  Ｓｔａｔｕｓフィールドは「ｐｏｗｅｒｅｄ−ｏｆｆ」、「ｕｎｋｎｏｗｎ」などに設定される。次いでＨＬＲ３２２は、被呼者３０４が電源を切っていることを示すＬｏｃａｔｉｏｎＲｅｑｕｅｓｔリターン・リザルト・メッセージ（ＬＯＣＲＥＱ  ＲＲ）をＯ−ＭＳＣ３１１に送信する。ＬｏｃａｔｉｏｎＲｅｑｕｅｓｔリターン・リザルト・メッセージは、被呼者３０４のための音声メール・サーバの暫定ダイヤル番号（ＴＤＮ）、被呼者３０４が電源を切っていることを示す録音メッセージを発呼者３０２に提供する命令、またはその他のデータを含むことができる。次いでＯ−ＭＳＣ３１１は被呼者３０４が電源を切っていることを発呼者３０２に伝える。例えば、Ｏ−ＭＳＣ３１１は被呼者３０４が電源を切っていることを示す録音メッセージを発呼者３０２に送信することができる。また、Ｏ−ＭＳＣ３１１は、被呼者３０４が電話に出られないことを発呼者３０２に伝える被呼者３０４のための音声メール・サーバに当該呼をルーティングすることができる。Ｏ−ＭＳＣ３１１が、被呼者３０４が電源を切っていることを発呼者３０２に伝えると、発呼者３０２は再ダイヤル機能を起動することができる。
【００２２】
発呼者３０２が再ダイヤル機能を起動して被呼者３０４に自動的に再発呼したい場合、発呼者３０２は新しい呼を開始する。発呼者３０２は再ダイヤル命令を入力して再ダイヤル機能を起動する。例えば、再ダイヤル命令は＊６６をダイヤルするかまたは別のコードを入力する手順を含む。再ダイヤル命令の受信に応答して、Ｏ−ＭＳＣ３１１は、発呼者３０２のＨＬＲ３１２にＦｅａｔｕｒｅＲｅｑｕｅｓｔ起動メッセージを送信して発呼者３０２が最後にダイヤルした番号を取り出す。ＨＬＲ３１２は発呼者１０２が最後にダイヤルした番号を取り出し、この実施形態では被呼者３０４の番号である、発呼者３０２が最後にダイヤルした番号を含むＦｅａｔｕｒｅＲｅｑｕｅｓｔリターン・リザルト・メッセージをＯ−ＭＳＣ３１１に送信する。
【００２３】
次いでＯ−ＭＳＣ３１１は、発呼者３０２が最後にダイヤルした番号に基づいて被呼者３０４のＨＬＲ３２２にＬｏｃａｔｉｏｎＲｅｑｕｅｓｔ起動メッセージを送信する。ＬｏｃａｔｉｏｎＲｅｑｕｅｓｔ起動メッセージは、発呼者３０２が再ダイヤル機能を起動したことをＨＬＲ３２２に伝える再ダイヤル機能標識（ＲＤＩ）を含む。ＬｏｃａｔｉｏｎＲｅｑｕｅｓｔ起動メッセージはまた発呼者３０２のＭＳＩＤを含む。ＨＬＲ３２２は、再ダイヤル標識および発呼者３０２のＭＳＩＤを被呼者３０４の加入者レコードに記憶する。この時点で、再ダイヤルが起動される。
【００２４】
次いで、ＨＬＲ３２２は再ダイヤル機能が起動されたことを確認するＬｏｃａｔｉｏｎＲｅｑｕｅｓｔリターン・リザルト・メッセージ（ＬＯＣＲＥＱ  ＲＲ）をＯ−ＭＳＣ３１１に送信する。Ｏ−ＭＳＣ３１１は、再ダイヤル機能が起動されたことを示すメッセージまたはトーンを発呼者３０２に送信する。
【００２５】
図５は本発明の例示的実施形態の再ダイヤル機能を起動する別のプロセスを示すメッセージ図である。この実施形態では、発呼者３０２は再ダイヤル機能の加入者ではない。加入者ではないが、発呼者３０２は呼ごとに再ダイヤル機能を起動している。
【００２６】
図５で、発呼者３０２は呼セットアップ・メッセージで被呼者３０４への呼を開始する。Ｏ−ＭＳＣ３１１は呼セットアップ・メッセージを受信する。Ｏ−ＭＳＣ３１１は被呼者３０４のＨＬＲ３２２にＬｏｃａｔｉｏｎＲｅｑｕｅｓｔ起動メッセージ（ＬＯＣＲＥＱ  ＩＮＶ）を送信する。ＬｏｃａｔｉｏｎＲｅｑｕｅｓｔ起動メッセージは、呼のルーティング先を決定するためのものである。ＬｏｃａｔｉｏｎＲｅｑｕｅｓｔ起動メッセージに応答して、ＨＬＲ３２２は被呼者３０４が電源を切っていると判定する。次いで、ＨＬＲ３２２は、被呼者３０４が電源を切っていることを示すＬｏｃａｔｉｏｎＲｅｑｕｅｓｔリターン・リザルト・メッセージ（ＬＯＣＲＥＱ  ＲＲ）をＯ−ＭＳＣ３１１に送信する。Ｏ−ＭＳＣ３１１は被呼者３０４が電源を切っていることを発呼者３０２に伝えることができる。
【００２７】
発呼者３０２が再ダイヤル機能を起動して被呼者３０４に自動的に再発呼したい場合、発呼者３０２は新しい呼を開始する。発呼者３０２は再ダイヤル命令に続けて再ダイヤルする電話番号（この実施形態では被呼者３０４の番号）を入力する。例えば、再ダイヤル命令は＊６６に続けて被呼者３０４の電話番号をダイヤルする手順を含む。発呼者３０２は再ダイヤル機能の常時加入者ではないが、発呼者３０２は呼ごとにこの機能を起動できる。
【００２８】
Ｏ−ＭＳＣ３１１は再ダイヤル命令と電話番号とを発呼者３０２から受信する。次いでＯ−ＭＳＣ３１１は発呼者３０２が入力した電話番号に基づいて被呼者３０４のＨＬＲ３２２にＬｏｃａｔｉｏｎＲｅｑｕｅｓｔ起動メッセージを送信する。ＬｏｃａｔｉｏｎＲｅｑｕｅｓｔ起動メッセージは、発呼者３０２が再ダイヤル機能を起動したことをＨＬＲ３２２に伝える再ダイヤル標識（ＲＤＩ）を含む。また、ＬｏｃａｔｉｏｎＲｅｑｕｅｓｔ起動メッセージは発呼者３０２のＭＳＩＤを含む。ＨＬＲ３２２は、再ダイヤル標識および発呼者３０２のＭＳＩＤを被呼者３０４の加入者レコードに記憶する。この時点で、再ダイヤルが起動される。
【００２９】
次いで、ＨＬＲ３２２は再ダイヤル機能が起動されたことを確認するＬｏｃａｔｉｏｎＲｅｑｕｅｓｔリターン・リザルト・メッセージ（ＬＯＣＲＥＱ  ＲＲ）をＯ−ＭＳＣ３１１に送信する。Ｏ−ＭＳＣ３１１は、再ダイヤル機能が起動されたことを示すメッセージまたはトーンを発呼者３０２に送信する。前述したように、発呼者３０２は再ダイヤル機能の加入者ではないが、呼ごとに再ダイヤル機能を起動することができる。
【００３０】
図６は本発明の例示的実施形態の再ダイヤル機能を起動する別のプロセスを示すメッセージ図である。この実施形態では、無線ネットワーク３００は録音メッセージを用いて再ダイヤル機能を起動するか否かを発呼者３０２に尋ねる。
【００３１】
図６で、発呼者３０２は呼セットアップ・メッセージで被呼者３０４への呼を開始する。Ｏ−ＭＳＣ３１１は呼セットアップ・メッセージを受信する。Ｏ−ＭＳＣ３１１は被呼者３０４のＨＬＲ３２２にＬｏｃａｔｉｏｎＲｅｑｕｅｓｔ起動メッセージ（ＬＯＣＲＥＱ  ＩＮＶ）を送信する。ＬｏｃａｔｉｏｎＲｅｑｕｅｓｔ起動メッセージは呼のルーティング先を決定するためのものである。ＬｏｃａｔｉｏｎＲｅｑｕｅｓｔ起動メッセージに応答して、ＨＬＲ３２２は被呼者３０４が電源を切っていると判定する。次いで、ＨＬＲ３２２は、被呼者３０４が電源を切っていることを示すＬｏｃａｔｉｏｎＲｅｑｕｅｓｔリターン・リザルト・メッセージ（ＬＯＣＲＥＱ  ＲＲ）をＯ−ＭＳＣ３１１に送信する。ＬｏｃａｔｉｏｎＲｅｑｕｅｓｔリターン・リザルト・メッセージに応答して、Ｏ−ＭＳＣ３１１は発呼者３０２に録音メッセージを送信する。録音メッセージは、被呼者３０４が電源を入れていないかまたは未登録であることを発呼者３０２に通知し、再ダイヤル機能を起動するか否かを発呼者３０２に尋ねる。例えば、録音メッセージは、「お掛けになった電話機は電源が入っていません。０．７５ドルの料金で再ダイヤル機能をご利用になる場合、「１」と入力してください」とすることができる。
【００３２】
発呼者３０２が再ダイヤル機能を起動したい場合、発呼者３０２は、キーパッドで「１」を入力するなど、再ダイヤル命令を入力する。Ｏ−ＭＳＣ３１１は発呼者３０２から再ダイヤル命令を受信する。Ｏ−ＭＳＣ３１１は、発呼者３０２が最後にダイヤルした番号をその呼レジスタにすでに記憶している。次いでＯ−ＭＳＣ３１１は、発呼者３０２が最後にダイヤルした番号に基づいて被呼者３０４のＨＬＲ３２２にＬｏｃａｔｉｏｎＲｅｑｕｅｓｔ起動メッセージを送信する。ＬｏｃａｔｉｏｎＲｅｑｕｅｓｔ起動メッセージは、発呼者３０２が再ダイヤル機能を起動したことをＨＬＲ３２２に伝える再ダイヤル標識（ＲＤＩ）を含む。ＬｏｃａｔｉｏｎＲｅｑｕｅｓｔ起動メッセージはまた発呼者３０２のＭＳＩＤを含む。ＨＬＲ３２２は、再ダイヤル標識および発呼者３０２のＭＳＩＤを被呼者３０４の加入者レコードに記憶する。この時点で、再ダイヤルが起動される。
【００３３】
次いで、ＨＬＲ３２２は再ダイヤル機能が起動されたことを確認するＬｏｃａｔｉｏｎＲｅｑｕｅｓｔリターン・リザルト・メッセージ（ＬＯＣＲＥＱ  ＲＲ）をＯ−ＭＳＣ３１１に送信する。Ｏ−ＭＳＣ３１１は、再ダイヤル機能が起動されたことを示すメッセージまたはトーンを発呼者３０２に送信する。
【００３４】
再ダイヤルの実行
図７は、本発明の例示的実施形態で再ダイヤルが実行される様子を示すメッセージ図である。この実施形態では、発呼者３０２が被呼者３０４に発呼し、被呼者３０４が電源を切っていたものとする。また、図４〜６に示す方法の１つまたは別の方法に従って、再ダイヤルがすでに起動されているものとする。被呼者３０４が電源を入れると、被呼者３０４はＳ−ＭＳＣ３２１に登録する。Ｓ−ＭＳＣ３２１は、被呼者３０４が電源を入れたことを示すＲｅｇｉｓｔｒａｔｉｏｎＮｏｔｉｆｉｃａｔｉｏｎ起動（ＲＥＧＮＯＴ  ＩＮＶ）メッセージをＨＬＲ３２２に送信する。ＲｅｇｉｓｔｒａｔｉｏｎＮｏｔｉｆｉｃａｔｉｏｎ起動メッセージに応答して、ＨＬＲ３２２はＳ−ＭＳＣ３２１のＩＤを被呼者３０４の加入者レコードのＰｒｉｍａｒｙ  Ｌａｓｔ−Ｓｅｅｎフィールドに入力する。またＨＬＲ３２２は被呼者３０４の加入者レコードにアクセスして、再ダイヤル機能が起動されたか否かを判定する。この例では、被呼者３０４の加入者レコードは再ダイヤル標識および発呼者３０２のＭＳＩＤを含むので、ＨＬＲ３２２は発呼者３０２が被呼者３０４に対して再ダイヤル機能を起動したと判断する。
【００３５】
したがって、ＨＬＲ３２２は、ＲｅｇｉｓｔｒａｔｉｏｎＮｏｔｉｆｉｃａｔｉｏｎリターン・リザルト（ＲＥＧＮＯＴ  ＲＲ）メッセージをＳ−ＭＳＣ３２１に送信する。ＲｅｇｉｓｔｒａｔｉｏｎＮｏｔｉｆｉｃａｔｉｏｎリターン・リザルト・メッセージは、再ダイヤル標識および発呼者３０２のＭＳＩＤを含む。ＲｅｇｉｓｔｒａｔｉｏｎＮｏｔｉｆｉｃａｔｉｏｎリターン・リザルト・メッセージに応答して、Ｓ−ＭＳＣ３２１は被呼者３０４にページを送信する。Ｓ−ＭＳＣ３２１が被呼者３０４からこのページへの応答を受信すると、Ｓ−ＭＳＣ３２１は発呼者３０２と被呼者３０４との間の呼のセットアップを試みる。Ｓ−ＭＳＣ３２１がこれに成功すると、発呼者３０２と被呼者３０４との間に呼が確立される。かくして再ダイヤルは成功裏に実行される。
【図面の簡単な説明】
【００３６】
【図１】本発明の例示的実施形態の無線ネットワークを示す図である。
【図２】本発明の例示的実施形態の図１に示す無線ネットワーク内の再ダイヤルを示すメッセージ図である。
【図３】本発明の例示的実施形態の別の無線ネットワークを示す図である。
【図４】本発明の例示的実施形態の図３に示す無線ネットワーク内の再ダイヤル機能を起動するプロセスを示すメッセージ図である。
【図５】本発明の例示的実施形態の図３に示す無線ネットワーク内の再ダイヤル機能を起動するプロセスを示すメッセージ図である。
【図６】本発明の例示的実施形態の図３に示す無線ネットワーク内の再ダイヤル機能を起動するプロセスを示すメッセージ図である。
【図７】本発明の例示的実施形態で再ダイヤルを実行する方法を示すメッセージ図である。
【図１】
2006287930.tif 000003
【図２】
2006287930.tif 000004
【図３】
2006287930.tif 000005
【図４】
2006287930.tif 000006
【図５】
2006287930.tif 000007
【図６】
2006287930.tif 000008
【図７】
2006287930.tif 000009